(57)【特許請求の範囲】
【請求項１】
水平面を形成する床部の上面に立設され、上部にアゴ部を有するコンクリート構造物を構成するためのコンクリート打込型枠であって、
下部打込型枠と、該下部打込型枠の上端面に同一鉛直軸上に配置される上部打込型枠とにより構成され、
前記下部打込型枠および上部打込型枠は、それぞれ一方の面が平滑面、他方の面が粗面を有して、それら下部打込型枠と上部打込型枠は、粗面を有する他方の面どうしが連続する平面を形成するように連結されて、該他方の面がコンクリート打設面とされ、
前記上部打込型枠の一方の面の下端部には、前記アゴ部としての帯状の凸状部材が上部打込型枠の長さ方向に延在して一体的に設けられ、該凸状部材の下面には、長さ方向に延在する切り欠き部が設けられていることを特徴とするコンクリート打込型枠。
【請求項２】
請求項１に記載のコンクリート打込型枠であって、
上部打込型枠の一方の面に突出して一体的に設けられている前記凸状部材が、該一方の面に対して直交する下面を有するよう成形されていることを特徴とするコンクリート打込型枠。
【請求項３】
請求項１または２に記載のコンクリート打込型枠を用いたコンクリート構造物の構築方法であって、
外周面に外型枠が立設するように固着された床部の上面に、前記外型枠の内側面に沿ってコンクリート構造物を構成する鉄筋を配置し、該鉄筋を挟んで、前記外型枠の内側面と下部打込型枠の粗面に形成された他方の面とが所定の間隔をもって平行に向かい合うように、前記下部打込型枠を立設し、該下部打込型枠の下端部を固着材を介して前記床面に固着する第１の工程と、
下端部に凸状部材が設けられた上部打込型枠を、粗面に形成された他方の面が前記外型枠と向かい合うように前記下部打込型枠の上端部に配置して、該上部打込型枠と下部打込型枠とが粗面どうしで同一平面を形成するように連結材を介して連結し、コンクリート打込型枠を構築する第２の工程と、
該コンクリート打込型枠と、前記外型枠との間にコンクリートを打設する第３の工程とにより構成されることを特徴とするコンクリート構造物の構築方法。
【請求項４】
請求項１または２に記載のコンクリート打込型枠を用いたコンクリート構造物の構築方法であって、
水平面を形成するように構築された床部の上面で所定の領域に、複数の鉄筋を組み合わせたかご鉄筋を配置し、該かご鉄筋を囲うようにして、粗面に形成された他方の面が内側面となるように形成された下部打込型枠を立設し、該下部打込型枠の下端部を固着材を介して前記床面に固着する第１の工程と、
下端面の平面形状が、前記下部打込型枠の上端面と同一で、粗面に形成された他方の面が内側面となり、外側面の下端部に凸状部材が設けられた上部打込型枠を、前記下部打込型枠の上端部に載置し、連結材を介して連結してコンクリート打込型枠を構築する第２の工程と、
前記コンクリート打込型枠の内方に、コンクリートを打設する第３の工程とにより構成されることを特徴とするコンクリート構造物の構築方法。
【発明の詳細な説明】
【０００１】
【発明の属する技術分野】
本発明は、構造物の屋上に構築されるパラペットや機器基礎等のアゴ部を有するコンクリート構造物を構築するためのコンクリート打込型枠、及びコンクリート打込型枠を用いたコンクリート構造物の構築方法に関する。
【０００２】
【従来の技術】
例えば、図３に示すように、建築物１の屋上部２を囲うように配されるパラペット３は、その内側面に水切りや、防水層１９等を保護するための防水立ち上がり保護板２５を設けることを目的に、複雑な形状を有するいわゆるアゴ部２８を設ける必要がある。
【０００３】
【発明が解決しようとする課題】
しかし、該アゴ部２８は、パラペット３の上部に配置されて、屋上部２の内方に突き出るような形状を有しているため、アゴ部２８をパラペット３と一体的な鉄筋コンクリート造として構築する場合、アゴ部２８の上部に立ち上がりを設けるための型枠２９を設ける必要が生じる。また、アゴ部２８における鉄筋３０の配設やコンクリートの打設が困難であるとともに、アゴ部２８の上端面２８ａは開口部となるため、コンクリート打設時にはコンクリートの吹き出しが生じやすく、硬化後にははつりやならし等の作業が必要になり、作業が繁雑になるだけでなく、工費や工期がかかるといった課題を有している。
【０００４】
上記事情に鑑み、本発明は、簡略な構成で施工性が良く、工費及び工期を削減できるコンクリート打込型枠、およびコンクリート打込型枠を用いたコンクリート構造物の構築方法を提供することを目的としている。
【０００５】
【課題を解決するための手段】
請求項１記載の発明は、水平面を形成する床部の上面に立設され、上部にアゴ部を有するコンクリート構造物を構成するためのコンクリート打込型枠であって、下部打込型枠と、該下部打込型枠の上端面に同一鉛直軸上に配置される上部打込型枠とにより構成され、前記下部打込型枠および上部打込型枠は、それぞれ一方の面が平滑面、他方の面が粗面を有して、それら下部打込型枠と上部打込型枠は、粗面を有する他方の面どうしが連続する平面を形成するように連結されて、該他方の面がコンクリート打設面とされ、前記上部打込型枠の一方の面の下端部には、前記アゴ部としての帯状の凸状部材が上部打込型枠の長さ方向に延在して一体的に設けられ、該凸状部材の下面には、長さ方向に延在する切り欠き部が設けられていることを特徴としている。
【０００６】
請求項２記載の発明は、上部打込型枠の一方の面に突出して一体的に設けられている前記凸状部材が、該一方の面に対して直交する下面を有するよう成形されていることを特徴としている。
【０００８】
請求項３記載のコンクリート構造物の構築方法は、外周面に外型枠が立設するように固着された床部の上面に、前記外型枠の内側面に沿ってコンクリート構造物を構成する鉄筋を配置し、該鉄筋を挟んで、前記外型枠の内側面と下部打込型枠の粗面に形成された他方の面とが所定の間隔をもって平行に向かい合うように、前記下部打込型枠を立設し、該下部打込型枠の下端部を固着材を介して前記床面に固着する第１の工程と、下端部に凸状部材が設けられた上部打込型枠を、粗面に形成された他方の面が前記外型枠と向かい合うように前記下部打込型枠の上端部に配置して、該上部打込型枠と下部打込型枠とが粗面どうしで同一平面を形成するように連結材を介して連結し、コンクリート打込型枠を構築する第２の工程と、該コンクリート打込型枠と、前記外型枠との間にコンクリートを打設する第３の工程とにより構成されることを特徴としている。
【０００９】
請求項４記載のコンクリート構造物の構築方法は、水平面を形成するように構築された床部の上面で所定の領域に、複数の鉄筋を組み合わせたかご鉄筋を配置し、該かご鉄筋を囲うようにして、粗面に形成された他方の面が内側面となるように形成された下部打込型枠を立設し、該下部打込型枠の下端部を固着材を介して前記床面に固着する第１の工程と、下端面の平面形状が、前記下部打込型枠の上端面と同一で、粗面に形成された他方の面が内側面となり、外側面の下端部に凸状部材が設けられた上部打込型枠を、前記下部打込型枠の上端部に載置し、連結材を介して連結してコンクリート打込型枠を構築する第２の工程と、前記コンクリート打込型枠の内方に、コンクリートを打設する第３の工程とにより構成されることを特徴としている。
【００１０】
【発明の実施の形態】
本発明のコンクリート打込型枠、及びコンクリート構造物の構築方法の実施の形態を図１〜図２に示す。
【００１１】
図１に示すように、建築物１の屋上部２の外周部に設けられるパラペット３には、内型枠としてコンクリート打込型枠である立上がり型枠８が用いられている。該立上がり型枠８は、下部打込型枠９と上部打込型枠１０とによりなり、下部打込型枠９は、一般に打込型枠として用いられる軽量鋼材や高強度押出し成形セメント板等の材料が用いられて、押出成形により一方の面９ａに平滑面、他方の面９ｂに粗面を有する板状に成形される。また、前記上部打込型枠１０も、下部打込型枠９と同じく軽量鋼材や高強度押出し成形セメント板等の材料が用いられて、押出成形により一方の面１０ａに平滑面、他方の面１０ｂに粗面を有する板状に成形される。
【００１２】
これら下部打込型枠９と上部打込型枠１０とは、下部打込型枠９の上端面９ｃと上部打込型枠１０の下端面１０ｃとが同一の断面形状を有しており、これらををＨ型に形成された連結部材１２を介して連結させることにより、立上がり型枠８が形成される。このとき、下部打込型枠９及び上部打込型枠１０は、平滑面を有する一方の面９ａ及び一方の面１０ａが立上がり型枠８の一方の側面８ａを形成するよう配置されるとともに、粗面を有する他方の面９ｂ及び他方の面１０ｂが立上がり型枠８の他方の側面８ｂを形成するように配置されている。これは、立上がり型枠８に、粗面を形成する他方の面８ｂを形成させて、これをコンクリート打設面とすることで、コンクリート１６と立上がり型枠８との定着強度を向上させるものである。
【００１３】
なお、前記上部打込型枠１０と下部打込型枠９とは、両者を組み合わせて立上がり型枠８を構成した際に、コンクリート打設面に滑らかに連続した他方の側面８ｂが形成されれば、下部打込型枠９の上端面９ｃと上部打込型枠１０の下端面１０ｃの断面形状が必ずしも同一でなくとも良く、また立上がり型枠８の外形状は、平板型やわん曲型、もしくは筒型等、何れの形状としても良い。ただし、筒形状に形成された際には、立上がり型枠８が粗面を形成する他方の面８ｂ側を内側面に配置するように形成するものである。
【００１４】
ところで、前記上部打込型枠１０の一方の面１０ａの下端部には、それ自体がアゴ部である凸状部材１１が一体成形されている。該凸状部材１１は、長さ方向に帯状に設けられるとともに、凸状部材１１の下面が上部打込型枠１０の一方の面１０ａに対して直交面を形成するように予め成型されている。凸状部材１１の先端部よりやや内方の下面には、凸状部材１１の長さ方向に切り欠き部１１ａが設けられており、これに伴い凸状部材１１の下面の先端部には水切り部１１ｂが形成される。また、前記上部打込型枠１０の他方の面１０ｂの上端部には、該上部打込型枠１０とコンクリート１６との境界面からの雨水等の侵入を防止することを目的に、未加硫ブチルゴム１０ｄを装着している。
【００１５】
前記凸状部材１１は、例えば、立上がり型枠８を用いたコンクリート構造物を屋上部２に構築した際に、屋上部２の床スラブ１７等に配される防水加工との取り合い部を保護する防水立上がり保護板２５が取り付けられるような、アゴ部として機能するものである。また、水切り部１１ｂは、雨水が前記コンクリート構造物の天端から側面を伝い下降することを防御するもので、例えばコンクリート構造物の天端から側面を伝った雨水が屋上部２の床スラブ１７等に配される防水加工とコンクリート構造物との取り合い部に生じやすい微細な隙間等に流入する現象を防止するものである。
【００１６】
以下に、アゴ部を有するコンクリート構造物として建築物１の屋上部２に設けられるパラペット３、及び機器架台２７を例に取り、コンクリート打込型枠である立上がり型枠８を用いたコンクリート構造物の構築方法を示す。
【００１７】
（第１の実施の形態）
建築物１の屋上部２の外周部に設けられるパラペット３は、図１に示すように、外型枠４と、内型枠としてコンクリート打込型枠である立上がり型枠８と、これらの内方に充填されるコンクリート１６により構成されている。また、パラペット３に囲まれた屋上部の床スラブ１７の上面には、防水加工として一般に知られている保護防水層２２が設けられており、該保護防水層２２の端部とパラペット３との取り合い部は、パラペット３に一体的に形成されたアゴ状の凸状部材１１に嵌合された防水立ち上がり保護壁２５により保護されている。このようなコンクリート構造物であるパラペット３の構築方法を以下に示す。
【００１８】
第１の工程では、あらかじめ建築物１の屋上部２を囲うように、床スラブ１７の側端面に設けられた外型枠４に対し、これと所定の間隔を設けて平行になるように、パラペット３を構成する鉄筋３ａを床スラブ１７の上面に配置する。該鉄筋３ａを挟んで、前記外型枠４と所定の間隔を設けて平行となるように下部打込型枠９を立設し、その下端部をモルタル等の固着材１３を介して床スラブ１７の上面に固着する。このとき、下部打込型枠９の粗面に形成された他方の面９ｂが、外型枠４と面どうしで向かい合うように下部打込型枠９を配置する。
【００１９】
ここで、前記外型枠４は、鉛直軸方向に立設するようにして前記屋上部２の床スラブ１７の側端面に接合されている。該外型枠４は、一般に用いられている外壁用の打込型枠材を用いており、その外側面には、イナズマプレート等の連結補助部材５が取り付けられて、ボルト等の締結部材６を介して連結補助部材５に外壁材７が固定されている。また、前記外型枠４に囲われた屋上部２を構成する床スラブ１７は、デッキプレート１５と、コンクリート１６により形成されている。
【００２０】
次に、第２の工程では、前記下部打込型枠９の上端面９ｃに連結部材１２を配し、その上部に上部打込型枠１０の下端面１０ｃを配してこれらを連結し、立上がり型枠８を形成する。このとき、下部打込型枠９と同様に、上部打込型枠１０においても、粗面に形成された他方の面１０ｂが、外型枠４と面どうしで向かい合うように配置する。
【００２１】
ここで、連結部材１２には、従来より打込型枠の連結に用いられている断面がＨ型の棒状鋼材を用いている。該連結部材１２の開口部が上下に位置するように配し、下側開口部に下部打込型枠９の上端面９ｃを嵌合するとともに、上側開口部に上部打込型枠１０の下端面１０ｃを嵌合させて、これらを連結するものである。なお、連結部材１２はこれにこだわるものではなく、下部打込型枠９および上部打込型枠１０が接合部が滑らかに連続して同一平面を形成できる方法であれば、何れの方法を用いても良い。
【００２２】
この後、第３の工程では、前記外型枠４と立上がり型枠８の内方に、コンクリート１６を打設し、この硬化後にコンクリート１６の天端部に笠木支持材１４ａを配した上で、その上面に外装材７、外型枠４、及び立上がり型枠８の上端部を覆うように笠木１４を載置し、位置決めを行った上でボルト等の締結手段６を介してパラペット３の天端部に締結する。これらの工程により、建築物１の屋上部２にパラペット３が構築される。
【００２３】
ここで、笠木１４には一般に用いられているアルミ笠木を用いているが、これにこだわるものではなく軽量で経済的な鋼材であり、パラペット３の天端部を保護する笠木として機能するものであれば、何れを用いても良い。
【００２４】
なお、第３の工程と同時に、前記床スラブ１７の上面に、防水層１９、断熱材２０、及び押さえコンクリート２１の順にいわゆる保護防水層２２を層状に敷設する。最下層に配される防水層１９には、一般に知られているアスファルトを用いたアスファルト防水層を用いている。防水層１９は、床スラブ１７の上面から連続して下部打込型枠９の一方の面９ａを覆っているとともに、その端部は上端面９ｃ近傍に達しており、断面がＬ字型の棒鋼である押さえ金物２３により、下部打込型枠９の一方の面９ａ側に押さえつけられて固定される。なお、押さえ金物２３と上部打込型枠１０に設けられた凸状部材１１の下面との間に隙間が生じている場合には、シール部材２６を配して、防水層１９の端部を完全に密封する。
【００２５】
さらに、防水層１９の上部には、床スラブ１７の上方にのみポリスチレン等の材料よりなる断熱材２０を配した上で、その上面に押さえコンクリート２１を配置する。断熱材２０の上面で下部打込型枠９の一方の面９ａを覆っている防水層１９との間には、発泡ポリエチレンからなるコーナークッション材１８を取り付けて、防水層１９とは抵触しない構成としている。なお、これら保護防水層２２は、これにこだわるものではなく、防水性能を有する方法であれば、露出防水等何れの防水加工を用いても良い。
【００２６】
このような、床スラブ１７上の保護防水層２２と、前記パラペット３との取り合い部を保護するため、パラペット３に一体的に形成されたアゴ状の凸状部材１１の切り欠き部１１ｂと鉛直方向に同軸で、前記保護防水層２２の上面に断面がＵ字型の棒鋼よりなる固定金物２４を配置し、該固定金物２４と切り欠き部１１ｂの両者に嵌合するように防水立上がり保護板２５を取り付けて、保護防水層２２の端部を保護する。
【００２７】
ここで、該防水立上がり保護板２５、及び立上がり型枠８には、壁材として一般に用いられている高強度押出し成形セメント板を採用しているが、これにこだわるものではなく耐食性能及び防水性能を有する壁材であれば、これにこだわるものではない。
【００２８】
（第２の実施の形態）
図２に示すように、建築物１の屋上部２に設けられた機器架台２７は、対をなす立上がり型枠８と、コンクリート１６により構築されている。該機器架台２７は、載置する機器の平面形状のみでなく、機器のメンテナンススペースを考慮した領域が確保されている。また、該機器架台２７が設けられる屋上部２には、第１の実施の形態と同様に、床スラブ１７の上面に、防水加工として一般に知られている保護防水層２２が設けられており、該保護防水層２２の端部と機器架台２７との取り合い部は、機器架台２７に一体的に形成されたアゴ状の凸状部材１１に嵌合された防水立ち上がり保護壁２５により保護されている。このようなコンクリート構造物である機器架台２７の構築方法を以下に示す。
なお、第２の実施の形態では、第１の実施の形態に用いた部材と同様のものを用いている。
【００２９】
第１の工程では、建築物１の屋上部２の床スラブ１７上における所定位置に、後に載置したい機器の荷重等を考慮して複数の鉄筋を組み合わせたかご鉄筋２７ａを配置し、該かご鉄筋２７ａを囲うようにして、粗面に形成された他方の面９ｂが内側面となるように形成された下部打込型枠９を立設し、該下部打込型枠９の下端部を固着材１３を介して、床スラブ１７の上面に固着する。
【００３０】
ここで、下部打込型枠９は、所定の領域を囲うことが可能で、かつ内側面に粗面に形成された他方の面９ｂが配置されていればよく、筒状に成形したもの、あるいは、複数の下部打込型枠９の側面どうしを連結手段を介して連結し、内側面に粗面に形成された他方の面９ｂが配される下部打込型枠９の連結体を構成するなど、何れの構成を用いても良い。
【００３１】
次に、第２の工程では、前記下部打込型枠９の上端面９ｃに連結部材１２を配し、その上部に上部打込型枠１０の下端面１０ｃを配してこれらを連結し、立上がり型枠８を形成する。このとき、下部打込型枠９と同様に、上部打込型枠１０においても、粗面に形成された他方の面１０ｂを、内側面側に配置する。
【００３２】
なお、上部打込型枠１０は、他方の面１０ｂの上端部に前記未加硫ブチルゴム１０ｄが配置され、また他方の面１０ｂが下部打込型枠９の他方の面９ｂと連続する平面を形成しており、かつ所定領域を囲うことが可能であれば、下部打込型枠９と同様に複数を連結してもあらかじめ筒状に構成しても、何れの外形状のものを用いても良い。
【００３３】
この後、第３の工程では、立上がり型枠８により囲われた所定領域の内方にコンクリート１６を打設し、これらの工程により、建築物１の屋上部２の機器架台２７が構築される。なお、機器架台２７の天端部には塗膜防水３１等の防水加工を施されるものである。
【００３４】
なお、第３の工程と同時に、第１の実施の形態と同様に、前記床スラブ１７の上面に、防水層１９、断熱材２０、及び押さえコンクリート２１の順にいわゆる保護防水層２２を層状に敷設する。このような、床スラブ１７上の保護防水層２２と、機器架台２７との取り合い部を保護するため、機器架台２７に一体的に形成されたアゴ状の凸状部材１１の切り欠き部１１ｂと鉛直方向に同軸で、前記保護防水層２２の上面に断面がＵ字型の棒鋼よりなる固定金物２４を配置し、該固定金物２４と切り欠き部１１ｂの両者に嵌合するように防水立上がり保護板２５を取り付けて、保護防水層２２の端部を保護する。
【００３５】
なお、第１、及び第２の実施の形態では、上部打込型枠１０を下部打込型枠９と連結し、コンクリート構造物の立ち上がり面全面を覆う立ち上がり型枠８を形成し、立ち上がり型枠８を用いたコンクリート構造物の構築方法を示したが、上部打込型枠１０は、これに限るものではなく、凸状部材１１をアゴとして機能させることが可能な位置でその下端部に予め設けておいてコンクリート構造物に一体的に設ける構成であれば、上部打込型枠１０をコンクリート構造物に用いる構成は、何れの構成としても良い。
【００３６】
上述する構成によれば、前記上部打込型枠１０には、アゴ部として機能する凸状部材１１がコンクリート構造物に対して一体的に設けられることから、アゴ部の取付が必要なコンクリート構造物を構築する際の構成が簡略で、配筋や型枠の組み立て、およびコンクリート打設等の構築作業を簡略化することが可能となる。
【００３７】
前記凸状部材１１が、上部打込型枠１０の一方の面１０ａに対して直交する下面を有するよう成形されることから、アゴ部を最小限の大きさに形成しても、機能性を十分有する構成とすることが可能となる。
【００３８】
アゴ部を有するコンクリート構造物を構築する際に用いられるコンクリート打込型枠には、前記上部打込型枠１０と下部打込型枠９が連結してなる立上がり型枠８が用いられることから、アゴ部が上部打込型枠１０の凸状部材１１により形成され鉄筋コンクリート造とする必要がないとともに、コンクリート打設面が平面上に形成されるため、コンクリート構造物のスリム化を図ることが可能となり、鉄筋やコンクリート等の材料費を大幅に削減でき、工費削減に大きく寄与することが可能となる。
【００３９】
また、アゴ部をコンクリート造に構築する必要がないため、コンクリート構造物の構成が簡略で、配筋や型枠の組み立て、およびコンクリート打設等の構築作業が単純となるとともに、型枠解体作業や従来のコンクリート造のアゴ部に必要であったはつりやならし等の左官工程が不要となり施工性が良く、工費削減、工期短縮に大きく寄与することが可能となる。
【００４０】
さらに、上部打込型枠１０や上部打込型枠１０を用いた立ち上がり型枠８は、コンクリート構造物に埋設されるコンクリート打込型枠であるため、型枠用合板の使用量を大幅に削減できるとともに、廃材が生じることが無く、建設廃棄物の排出を大幅に削減でき、環境保護に貢献することが可能となる。
【００４１】
【発明の効果】
請求項１記載のコンクリート打込型枠は、水平面を形成する床部の上面に立設される上部にアゴ部を有するコンクリート構造物を構成するためのコンクリート打込型枠であって、下部打込型枠と、該下部打込型枠の上端面に同一鉛直軸上に配置される上部打込型枠とにより構成され、前記下部打込型枠および上部打込型枠は、それぞれ一方の面が平滑面、他方の面が粗面を有して、それら下部打込型枠と上部打込型枠は、粗面を有する他方の面どうしが連続する平面を形成するように連結されて、該他方の面がコンクリート打設面とされ、前記上部打込型枠の一方の面の下端部には、前記アゴ部としての帯状の凸状部材が上部打込型枠の長さ方向に延在して一体的に設けられ、該凸状部材の下面には、長さ方向に延在する切り欠き部が設けられているので、アゴ部として機能する上部打込型枠の凸状部材が、コンクリート構造物に一体的に設けられる構成となるため、アゴ部の取付が必要なコンクリート構造物を構築する際の構成が簡略で、配筋や型枠の組み立て、およびコンクリート打設等の構築作業を簡略化することが可能となる。
特に、上部打込型枠に設けた凸状部材それ自体がアゴ部として機能するので、従来のようにアゴ部を鉄筋コンクリート造として施工する場合のような格別面倒な手間を一切省略できるばかりでなく、コンクリート打設面を単純な平面状に形成できるのでコンクリート構造物のスリム化を図ることが可能であるし、鉄筋やコンクリート等の材料費を大幅に削減でき、工費削減に大きく寄与することが可能となる。
【００４２】
請求項２記載の上部打込型枠によれば、前記凸状部材が、前記一方の面に対して直交する下面を有するよう成形されることから、アゴ部を最小限の大きさに形成しても、機能性を十分有する構成とすることが可能となる。
【００４４】
請求項３記載のコンクリート構造物の構築方法は、外周面に外型枠が立設するように固着された床部の上面に、前記外型枠の内側面に沿ってコンクリート構造物を構成する鉄筋を配置し、該鉄筋を挟んで、前記外型枠の内側面と下部打込型枠の粗面に形成された他方の面とが所定の間隔をもって平行に向かい合うように、前記下部打込型枠を立設し、該下部打込型枠の下端部を固着材を介して前記床面に固着する第１の工程と、下端部に凸状部材が設けられた前記上部打込型枠を、粗面に形成された他方の面が前記外型枠と向かい合うように前記下部打込型枠の上端部に配置して、該上部打込型枠と下部打込型枠とが粗面どうしで同一平面を形成するように連結材を介して連結し、コンクリート打込型枠を構築する第２の工程と、該コンクリート打込型枠と、前記外型枠との間にコンクリートを打設する第３の工程とにより構成される。
また、請求項４記載のコンクリート構造物の構築方法は、水平面を形成するように構築された床部の上面で所定の領域に、複数の鉄筋を組み合わせたかご鉄筋を配置し、該かご鉄筋を囲うようにして、粗面に形成された他方の面が内側面となるように形成された下部打込型枠を立設し、該下部打込型枠の下端部を固着材を介して前記床面に固着する第１の工程と、下端面の平面形状が、前記下部打込型枠の上端面と同一で、粗面に形成された他方の面が内側面となり、外側面の下端部に凸状部材が設けられた上部打込型枠を、前記下部打込型枠の上端部に載置し、連結材を介して連結してコンクリート打込型枠を構築する第２の工程と、前記コンクリート打込型枠の内方に、コンクリートを打設する第３の工程とにより構成される。
【００４５】
したがって、請求項３および４記載のコンクリート構造物の構築方法によれば、上部打込型枠と下部打込型枠からなるコンクリート打込型枠の全体がコンクリート構造物にそのまま一体化されるため、型枠用合板の使用量を大幅に削減できるとともに、廃材が生じるとことが無く、建設廃棄物の排出を大幅に削減でき、環境保護に貢献することが可能となる。
【００４６】
特に、上部打込型枠に予め設けた凸状部材がそのままアゴ部となるので、アゴ部の施工に対する格別かつ面倒な手間を一切省略できるばかりでなく、アゴ部をコンクリート造に構築する必要がないため、コンクリート構造物の構成が簡略で、配筋や型枠の組み立て、およびコンクリート打設等の構築作業が単純となるとともに、型枠解体作業や従来のコンクリート造のアゴ部に必要であったはつりやならし等の左官工程が不要となり施工性が良く、工費削減、工期短縮に大きく寄与することが可能となる。
また、アゴ部となる凸状部材を上部打込型枠の下端部に設けているので、この上部打込型枠を用いることのみでアゴ部およびその上部への他の型枠組みを省略することが可能であり、したがってアゴ部を有するコンクリート構造物の全体を効率的に施工することができる。
【図面の簡単な説明】
【図１】  本発明に係るコンクリート打込型枠によるコンクリート構造物を示す図である。
【図２】  本発明に係るコンクリート打込型枠によるコンクリート構造物の他の事例を示す図である。
【図３】  従来のコンクリート構造物の概要を示す図である。
【符号の説明】
１  建築物
２  屋上部
３  パラペット
３ａ  鉄筋
４  外型枠
５  連結補助部材
６  締結部材
７  外壁材
８  立上がり型枠（コンクリート打込型枠）
８ａ  一方の側面
８ｂ  他方の側面
９  下部打込型枠
９ａ  一方の面
９ｂ  他方の面
９ｃ  上端面
１０  上部打込型枠
１０ａ  一方の面
１０ｂ  他方の面
１０ｃ  下端面
１０ｄ  未加硫ブチルゴム
１１  凸状部材（アゴ部）
１１ａ  切り欠き部
１１ｂ  水切り部
１２  連結部材
１３  固着材
１４  笠木
１５  デッキプレート
１６  コンクリート
１７  床スラブ
１８  コーナークッション材
１９  防水層
２０  断熱材
２１  押さえコンクリート
２２  保護防水層
２３  押さえ金物
２４  固定金物
２５  防水立上がり保護板
２６  シール部材
２７  機器架台
２７ａ  鉄筋かご
２８  アゴ部
２８ａ  上端面
２９  型枠
３０  鉄筋
３１  塗膜防水
【図１】
0003902979.tif 000002
【図２】
0003902979.tif 000003
【図３】
0003902979.tif 000004